【手続補正書】
【提出日】平成28年4月14日(2016.4.14)
【手続補正１】
【補正対象書類名】明細書
【補正対象項目名】００１０
【補正方法】変更
【補正の内容】
【００１０】
上記課題を解決するために、本発明に係る眼科撮影装置は、被検眼からの反射光を光学系を介して受光し前記被検眼の像を撮像する撮像手段と、 
前記光学系に配置されるフォーカスレンズと、
前記フォーカスレンズを駆動するフォーカスレンズ駆動手段と、
前記フォーカスレンズの駆動量を指定するフォーカス操作手段と、
前記被検眼の撮影に際して眼底を撮影する眼底撮影モードと、前眼部を撮影する前眼部撮影モードと、の何れかの撮影モードを選択する撮影モード選択手段と、を有する撮影装置であって、
前記撮影モード選択手段により選択された撮影モードに応じて、前記フォーカス操作手段におけるフォーカス操作量に応じた前記フォーカス駆動手段による前記フォーカスレンズの駆動量、を変更するフォーカス制御手段、を有したことを特徴とする。
【手続補正２】
【補正対象書類名】明細書
【補正対象項目名】００１５
【補正方法】変更
【補正の内容】
【００１５】
このような、対物レンズ２から撮像部８に至る光学系で観察撮影光学系を構成している。撮像部８は、本発明において、被検眼Ｅにより反射されたその反射光について、該観察撮影光学系を介して受光し、且つ該被検眼Ｅの像を撮像する撮像手段に対応する。フォーカスレンズ７は、前述したようにこの光学系に配置される。
【手続補正３】
【補正対象書類名】明細書
【補正対象項目名】００３０
【補正方法】変更
【補正の内容】
【００３０】
次にステップＳ４に進み、操作されたスイッチが前眼部撮影・眼底撮影切り替えスイッチ２０であるか否かを判断する。この前眼部撮影・眼底撮影切り替えスイッチ２０とこれによる操作に応じて撮影モードを切り替えるための構成は、本発明において撮影モード選択手段として機能する。前眼部撮影・眼底撮影切り替えスイッチ２０であった場合はステップＳ５に進む。ステップＳ５では、制御部１０内のメモリに記憶されている、現在前眼部撮影・眼底撮影切り替えスイッチ２０により指示されている撮影光学系の状態が参照される。
【手続補正４】
【補正対象書類名】明細書
【補正対象項目名】００３８
【補正方法】変更
【補正の内容】
【００３８】
次にステップＳ１６に進み、ステップＳ１５で算出したフォーカスレンズ７の駆動量に従い、駆動回路１３を介してアクチュエーター１４を駆動することでフォーカスレンズ７を駆動する。そしてステップＳ２に戻る。
【手続補正５】
【補正対象書類名】特許請求の範囲
【補正対象項目名】全文
【補正方法】変更
【補正の内容】
【特許請求の範囲】
【請求項１】
被検眼からの反射光を光学系を介して受光し前記被検眼の像を撮像する撮像手段と、
前記光学系に配置されるフォーカスレンズと、
前記フォーカスレンズを駆動するフォーカスレンズ駆動手段と、
前記フォーカスレンズの駆動量を指定するフォーカス操作手段と、
前記被検眼の撮影に際して眼底を撮影する眼底撮影モードと、前眼部を撮影する前眼部撮影モードと、の何れかの撮影モードを選択する撮影モード選択手段と、を有する撮影装置であって、
前記撮影モード選択手段により選択された撮影モードに応じて、前記フォーカス操作手段におけるフォーカス操作量に応じた前記フォーカス駆動手段による前記フォーカスレンズの駆動量、を変更するフォーカス制御手段、を有したことを特徴とする眼科撮影装置。
【請求項２】
前記フォーカスレンズ駆動手段は、電動モーターおよびボールネジにより前記フォーカスレンズを光軸方向に直線状に動作させることを特徴とする請求項１に記載の眼科撮影装置。
【請求項３】
前記前眼部撮影モードにおいて、前記フォーカス操作手段における前記フォーカス操作量に応じた前記フォーカスレンズ駆動手段による前記フォーカスレンズ駆動量を決定する際に用いる複数の係数を有する記憶手段と、
用いる前記係数を決定する係数設定手段と、を有することを特徴とする請求項１に記載の眼科撮影装置。
【請求項４】
前記前眼部撮影モードにおいて前記フォーカスレンズが停止しているフォーカス位置を記憶するフォーカス位置記憶手段と、
前記フォーカス位置記憶手段に記憶されている前記フォーカス位置を呼び出して前記フォーカスレンズを前記フォーカス位置に復帰させるフォーカス位置復帰手段と、を有し、
前記係数設定手段は、前記フォーカス位置記憶手段にフォーカス位置が記憶されている場合は、前記係数をフォーカス位置微調整用の係数に決定することを特徴とする請求項３に記載の眼科撮影装置。
【請求項５】
前記被検眼の視度を補正する視度補正手段と、
前記視度補正手段を用いる場合と用いない場合とを切り替える視度補正の切り替え手段と、を有し、
前記視度補正の切り替え手段は前記撮影モード選択手段が選択した前記撮影モードに応じて、前記視度補正手段の切り替えを行なうことを特徴とする請求項１に記載の眼科撮影装置。
【請求項６】
被検眼からの反射光を光学系を介して受光し前記被検眼の像を撮像する撮像手段と、 
前記光学系に配置されるフォーカスレンズと、
前記フォーカスレンズを駆動するフォーカスレンズ駆動手段と、
前記フォーカスレンズの駆動量を指定するフォーカス操作手段と、
前記被検眼の撮影に際して眼底を撮影する眼底撮影モードと、前眼部を撮影する前眼部撮影モードと、の何れかの撮影モードを選択する撮影モード選択手段と、を有する撮影装置において、
前記撮影モード選択手段により前記撮影モードを選択し、
選択された前記撮影モードに応じて、前記フォーカス操作手段におけるフォーカス操作量に応じた前記フォーカス駆動手段による前記フォーカスレンズの駆動量、を変更し、
前記フォーカス操作手段によりフォーカスレンズの駆動量を指定した際に、変更された前記フォーカスレンズ駆動量、前記フォーカスレンズ駆動手段に前記フォーカスレンズを駆動させる、工程を有することを特徴とする眼科撮影装置の制御方法。
【請求項７】
前記フォーカスレンズは前記撮像装置が受光する前記反射光の光軸方向に直線状に動作されることを特徴とする請求項６に記載の眼科撮影装置の制御方法。
【請求項８】
前記フォーカス操作手段における前記フォーカス操作量に応じた前記フォーカスレンズ駆動手段による前記フォーカスレンズ駆動量を決定する際に用いる複数の係数が記憶されており、
前記フォーカス操作手段におけるフォーカス操作量に応じた前記フォーカス駆動手段による前記フォーカスレンズの駆動量の変更に際して、前記係数を選択して用いることを特徴とする請求項６に記載の眼科撮影装置の制御方法。
【請求項９】
前記前眼部撮影モードにおいて前記フォーカスレンズが停止しているフォーカス位置を記憶し、
記憶されている前記フォーカス位置を呼び出して前記フォーカスレンズを前記フォーカス位置に復帰させる、工程を有し、
前記係数の選択に際しては、前記フォーカス位置が記憶されている場合は、前記係数をフォーカス位置微調整用の係数を選択することを特徴とする請求項８に記載の眼科撮影装置の制御方法。
【請求項１０】
前記前眼部撮影モードが選択された場合に、前記撮像装置が受光する前記反射光の光軸上に、前記被検眼の視度を補正する視度補正手段を挿入する、工程を有することを特徴とする請求項６に記載の眼科撮影装置の制御方法。
【請求項１１】
請求項６乃至１０の何れか１項に記載の制御方法の各工程をコンピュータに実行させることを特徴とするプログラム。